【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】共重合体エマルジョンおよびそれからなる紙用コート剤
【手続補正２】
【補正対象書類名】明細書
【補正対象項目名】特許請求の範囲
【補正方法】変更
【補正の内容】
【特許請求の範囲】
【請求項１】  ビニル系単量体１００重量部に対して、未中和物換算で１〜３０重量部のスチレン−マレイン酸共重合体のアルカリ中和塩存在下で、ビニル系単量体を乳化重合して得られる共重合体エマルジョン。
【請求項２】  スチレン−マレイン酸共重合体の数平均分子量が５００〜２００００、酸価が１００〜７００である請求項１記載の共重合体エマルジョン。
【請求項３】  スチレン−マレイン酸共重合体のアルカリによる中和率が５０〜２００％である請求項１または２記載の共重合体エマルジョン。
【請求項４】  ビニル系単量体が、（メタ）アクリル酸アルキルエステル単量体、カルボキシル基を有するビニル系単量体およびスチレンからなる群から選ばれる少なくとも１種の単量体である請求項１〜３のいずれかに記載の共重合体エマルジョン。
【請求項５】  請求項１〜４のいずれかに記載の共重合体エマルジョンからなる溶剤バリアー性を有するコート剤。
【請求項６】  請求項１〜４のいずれかに記載の共重合体エマルジョンからなる紙用コート剤。
【請求項７】  請求項１〜４のいずれかに記載の共重合体エマルジョンに顔料を加えてなる紙用コート剤。
【請求項８】  請求項６または７記載の紙用コート剤からなる剥離紙用アンダーコート剤。
【手続補正３】
【補正対象書類名】明細書
【補正対象項目名】０００１
【補正方法】変更
【補正の内容】
【０００１】
【発明の属する技術分野】
本発明は、溶剤バリアー性、顔料分散性、離解性に優れた共重合体エマルジョン、それからなる紙用コート剤および溶剤バリアー性を有するコート剤、とくに剥離用アンダーコート剤に関する。
【手続補正４】
【補正対象書類名】明細書
【補正対象項目名】０００９
【補正方法】変更
【補正の内容】
【０００９】
【課題を解決するための手段】
本発明は、シリコーン樹脂塗工液に対する溶剤バリアー性、顔料分散性、離解性（リサイクル性）に優れた剥離紙用アンダーコート剤を提供することを目的としてなされたものであり、
ビニル系単量体１００重量部（以下、部という）に対して、未中和物換算で１〜３０部のスチレン−マレイン酸共重合体のアルカリ中和塩存在下で、ビニル系単量体を乳化重合して得られる共重合体エマルジョン（請求項１）、
スチレン−マレイン酸共重合体の数平均分子量が５００〜２００００、酸価が１００〜７００である請求項１記載の共重合体エマルジョン（請求項２）、
スチレン−マレイン酸共重合体のアルカリによる中和率が５０〜２００％である請求項１または２記載の共重合体エマルジョン（請求項３）、
ビニル系単量体が、（メタ）アクリル酸アルキルエステル単量体、カルボキシル基を有するビニル系単量体（不飽和カルボン酸）およびスチレンからなる群から選ばれる少なくとも１種の単量体である請求項１〜３のいずれかに記載の共重合体エマルジョン（請求項４）、
請求項１〜４のいずれかに記載の共重合体エマルジョンからなる溶剤バリアー性を有するコート剤（請求項５）、
請求項１〜４のいずれかに記載の共重合体エマルジョンからなる紙用コート剤（請求項６）、
請求項１〜４のいずれかに記載の共重合体エマルジョンに顔料を加えてなる紙用コート剤（請求項７）および
請求項６または７記載の紙用コート剤からなる剥離紙用アンダーコート剤（請求項８）
に関する。
【手続補正５】
【補正対象書類名】明細書
【補正対象項目名】００１６
【補正方法】変更
【補正の内容】
【００１６】
前記ビニル系単量体を乳化重合して得られる共重合体は、本発明の紙用コート剤の主要成分として紙にコート層を形成し、場合によってはアンダーコート層となるものである。該共重合体は前記スチレン−マレイン酸共重合体中和塩および通常使用される後述する乳化剤によりエマルジョン化され、紙用コート剤または溶剤バリアー性を有するコート剤とされる。
【手続補正６】
【補正対象書類名】明細書
【補正対象項目名】００１７
【補正方法】変更
【補正の内容】
【００１７】
前記ビニル系単量体を乳化重合して得られる重合体が単独重合体ではなく、共重合体であるのは、バリアー性などの性能をよりバランスよく発揮させるために必要であり、また、紙用コート剤または溶剤バリアー性を有するコート剤として使用される際の造膜温度の調整のためには、共重合体であることが必要なためである。単独重合体では造膜温度の調整は困難である。したがって、共重合体を形成する単量体単位の種類としては、２種以上、好ましくは３〜８種である。
【手続補正７】
【補正対象書類名】明細書
【補正対象項目名】００１８
【補正方法】変更
【補正の内容】
【００１８】
前記ビニル系単量体の例としては、たとえば（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸ラウリルなどの炭素数１〜１２のアルキル基を有する（メタ）アクリル酸アルキルエステル単量体、（メタ）アクリル酸、イタコン酸、クロトン酸、マレイン酸、フマル酸などのカルボキシル基を有するビニル系単量体（不飽和カルボン酸）、酢酸ビニル、スチレン、（メタ）アクリルアミド、（メタ）アクリロニトリル、Ｎ−メチルロール（メタ）アクリルアミド、ジアセトンアクリルアミド、２−ヒドロキシエチル（メタ）アクリレート、グリシジル（メタ）アクリレートなどのカルボキシル基以外の官能基を有するビニル系単量体、ジビニルベンゼン、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、１，６−ヘキサンジオールジ（メタ）アクリレート、アリル（メタ）アクリレート、トリメチロールプロパントリ（メタ）アクリレート、トリアリルイソシアヌレートなどの２つ以上のビニル系基を有する多官能性ビニル系単量体などがあげられる。これらは２種以上用いられる。これらの中でも、（メタ）アクリル酸アルキルエステル単量体、カルボキシル基を有するビニル系単量体およびスチレンからなる群から選ばれる少なくとも１種の単量体であることが好ましい。好ましい組み合わせ方としては、たとえばスチレン、アクリル酸ブチル、メタアクリル酸メチル、メタアクリル酸などの組み合わせがあげられ、共重合体のＴｇが−５０〜５０℃であるのが、塗膜の造膜性、ブロッキング防止性の点から好ましい。
【手続補正８】
【補正対象書類名】明細書
【補正対象項目名】００２５
【補正方法】変更
【補正の内容】
【００２５】
本発明の共重合体エマルジョンからなる紙用コート剤または溶剤バリアー性を有するコート剤は、前記共重合体エマルジョンをそのまま、または濃度調整のみを行なって紙用コート剤または溶剤バリアー性を有するコート剤として用いてもよく、顔料、ワックスなどの添加剤を適宜添加したものを紙用コート剤または溶剤バリアー性を有するコート剤として用いてもよい。
【手続補正９】
【補正対象書類名】明細書
【補正対象項目名】００２６
【補正方法】変更
【補正の内容】
【００２６】
前記共重合体エマルジョンをそのまま、または濃度調整のみを行なって紙用コート剤または溶剤バリアー性を有するコート剤として用いる場合の濃度は、塗工性、作業性などの点から、通常、固形分濃度２０〜５５％であるのが好ましい。
【手続補正１０】
【補正対象書類名】明細書
【補正対象項目名】００２９
【補正方法】変更
【補正の内容】
【００２９】
前記のごとき本発明の紙用コート剤または溶剤バリアー性を有するコート剤は、機械的に安定で、たとえばグラビアコーター、エアーナイフコーター、バーコーターなどの常法により基紙上に塗工することにより、たとえば剥離紙用アンダーコート剤として使用することができる。塗工量は、通常、樹脂分として２〜４ｇ／ｍ2程度が適当である。
【手続補正１１】
【補正対象書類名】明細書
【補正対象項目名】００３１
【補正方法】変更
【補正の内容】
【００３１】
また、本発明の紙用コート剤または溶剤バリアー性を有するコート剤は、比較的粘度が低く（固形分５０％で、１００〜２０００ｍＰａ・ｓ程度）、とくにクレーなどの顔料を混和しても同様であり、比較的高い濃度で使用することができ、高速塗工が可能である。この顔料混和により総塗布量は変わらず、樹脂分として低塗布量化ができるので、コスト面で有利となる。
【手続補正１２】
【補正対象書類名】明細書
【補正対象項目名】００３２
【補正方法】変更
【補正の内容】
【００３２】
また、本発明の紙用コート剤または溶剤バリアー性を有するコート剤には、必要に応じてメラミン樹脂、エポキシ樹脂、イソシアネート系樹脂、シラン系化合物、オキサゾリン系化合物などを架橋剤として使用しても構わない。
【手続補正１３】
【補正対象書類名】明細書
【補正対象項目名】００５１
【補正方法】変更
【補正の内容】
【００５１】
【発明の効果】
本発明の共重合体エマルジョン、それからなる紙用コート剤および溶剤バリアー性を有するコート剤は、スチレン−マレイン酸共重合体の塩基性物質中和塩を分散剤として乳化剤を補助的に用いているので、乳化剤の影響を受けにくく、（ｉ）溶剤バリアー性、とくに（ii）顔料の分散性および（iii）離解性に優れている。また、優れたバリアー性と顔料の分散性を有するので、顔料配合による高固形分での塗布および樹脂分での低塗布量化が可能になり、トータルコストでのパフォーマンスも良好となる。